(57)【要約】      （修正有）【課題】景品獲得ゲーム機において、追加景品の段積み作業を容易にすると共に、ゲームの興趣を一層盛り上げるジャックポット装置を提供する。【解決手段】景品獲得ゲーム機は、ハウジング１内で常時定速で一方向に回転しているターンテーブル上にある景品を、シャベル型アームで掬い上げ、固定テーブル上に落とし、常時定速で往復運動をしているスライドテーブルが景品を押し出したとき、景品を固定テーブルからポケットに落とし込む。ジャックポット装置が景品獲得ゲーム機に組み込まれる。装置は、固定テーブルのポケット側付近でハウジングに下端部が固定されかつ上端部に複数の支持穴を有する１対のブラケットと、１対のブラケットの各支持穴に挿入された支持管と、ブラケットから外側に突出する支持管の端部に着脱自在に嵌合する留め管と、支持管に緩く着脱自在に嵌合するスリーブおよびスリーブに固定された板本体を有する景品支持板とを含む。【選択図】図４
0003111471.tif 000002
【実用新案登録請求の範囲】
【請求項１】
ハウジング内で景品を乗せて常時定速で一方向に回転しているターンテーブルと、該ターンテーブル上の景品を掬い上げるシャベル型アームと、該アームから落とされた景品を受ける固定テーブルと、常時定速で前記固定テーブル上を往復運動するスライドテーブルと、該スライドテーブルによって固定テーブルから押し出された景品を受けるポケットと、該ポケットに連通した景品取出し口とを含む景品獲得ゲーム機において、
前記固定テーブルのポケット側付近で前記ハウジングに下端部が固定されかつ上端部に複数の支持穴を有する１対のブラケットと、
前記１対のブラケットの各支持穴に挿入された支持管と、
前記ブラケットから外側に突出する前記支持管の端部に着脱自在に嵌合する留め管と、
ならびに
前記支持管に緩く着脱自在に嵌合するスリーブおよび該スリーブに固定された板本体を有する景品支持板とを含む、
景品獲得ゲーム機用ジャックポット装置。
【請求項２】
前記の各ブラケットの上端部に３個の支持穴を設けた、請求項１に記載のジャックポット装置。
【請求項３】
前記景品支持板のスリーブ内径対前記支持管外径比が、１．１−２．０の範囲にある、請求項１に記載のジャックポット装置。
【請求項４】
前記景品支持板の前記板本体の幅対前記ブラケット間隔比が、１．１−２．０の範囲にある、請求項１に記載のジャックポット装置。
【請求項５】
前記ブラケット、支持管、留め管、景品支持板はすべて透明の合成樹脂材料からつくられている、請求項１に記載のジャックポット装置。
【考案の詳細な説明】
【技術分野】
【０００１】
本考案は、景品獲得ゲーム機に組み込まれるジャックポット装置に関する。
【背景技術】
【０００２】
従来の景品獲得ゲーム機の代表例としては、株式会社ナムコから販売されているスウィートランド（商標）がある。このような景品獲得ゲーム機１０には、図１および図２に示すように、ハウジング１内で常時定速で一方向に回転しているターンテーブル２上にある景品３を、プレイヤが操作盤１１の操作ボタン１１１を操作してシャベル型アーム４で掬い上げ、タイミングを見計らって固定テーブル５上に落とし、常時定速で往復運動をしているスライドテーブル６が景品３を押し出したとき、景品３が固定テーブル５からポケット７に落ち込むと、プレイヤが景品取出し口８から景品３を獲得できるゲームが組み込まれている。
【０００３】
最近の景品獲得ゲーム機では、ゲームの興趣をさらに盛り上げるために、既存の景品３の外にさらに追加の景品３ａを固定テーブル５の上に積み上げている。追加景品３ａを固定テーブル５上に単に積み上げただけでは、不安定であり、外部または内部の振動等によって、段積みの追加景品３ａが簡単に倒れたり、崩れたりしてしまう。そこで、ジャックポット装置９（図２において破線で示される）が設けられている。ジャックポット装置９は、垂直方向に揺動自在の景品支持板（図示せず）を挟んで上下に追加景品３ａを積み上げ、段積み追加景品３ａを安定化し、スライドテーブル６の作用によって積み上げた追加景品３ａが荷崩れを起こしたとき、さらに追加景品３ａを獲得できるように設計されている。
【０００４】
しかし、従来のジャックポット装置９では、景品支持板の回動支点は上下左右位置が調節できず、景品の種類、寸法、数量の変更に対応できない。
【０００５】
一方、特許文献１では、プレイヤが獲得したい景品を選択できるようにするために、景品獲得手段がプレイヤによって操作され、景品獲得シャベルをターンテーブルから景品獲得口へ導く方向の移動により、振動手段が景品獲得手段を振動するように構成された景品取得ゲーム機を開示している。しかし、この景品取得ゲーム機は、ジャックポット装置を備えていない。
【特許文献１】特開平９−９９１６９号特許公報
【考案の開示】
【考案が解決しようとする課題】
【０００６】
本考案の課題は、景品獲得ゲーム機において、追加景品の段積み作業を容易にすると共に、ゲームの興趣を一層盛り上げるジャックポット装置を提供することにある。
【課題を解決するための手段】
【０００７】
本考案は、ハウジング内で景品を乗せて常時定速で一方向に回転しているターンテーブルと、ターンテーブル上の景品を掬い上げるシャベル型アームと、アームから落とされた景品を受ける固定テーブルと、常時定速で固定テーブル上を往復運動するスライドテーブルと、スライドテーブルによって固定テーブルから押し出された景品を受けるポケットと、ポケットに連通した景品取出し口とを含む景品獲得ゲーム機に適用される。
【０００８】
本考案のジャックポット装置は、この景品取得ゲーム機に設けられる。本考案のジャックポット装置は、固定テーブルのポケット側付近でハウジングに下端部が固定されかつ上端部に複数の支持穴を有する１対のブラケットと、１対のブラケットの各支持穴に挿入された支持管と、ブラケットから外側に突出する支持管の端部に着脱自在に嵌合する留め管と、ならびに支持管に緩く着脱自在に嵌合するスリーブおよびスリーブに固定された板本体を有する景品支持板とを含む。
【０００９】
各ブラケットの上端部には３個の支持穴を設けることが好ましい。
【００１０】
景品支持板のスリーブ内径対支持管外径比が、１．１−２．０の範囲にあることが好ましい。景品支持板の板本体の幅対ブラケット間隔比が、１．１−２．０の範囲にあることが好ましい。
【００１１】
ブラケット、支持管、留め管、景品支持板はすべて透明の合成樹脂材料からつくられることが好ましい。
【考案の効果】
【００１２】
本考案のジャックポット装置によれば、景品支持板は追加景品の段積みを安定化すると共に、景品支持板と支持管およびブラケットとの間に垂直方向および水平方向に所定範囲の間隙があるので、追加景品の段積み作業を容易にするが、ゲームの進行に伴い追加景品が円滑に荷崩れし、景品支持板はゲームの興趣を損なわない。
【考案を実施するための最良の形態】
【００１３】
図面を参照して、本考案に基づく景品獲得ゲーム機用ジャックポット装置の具体的実施例について説明する。図２に示すように、本考案のジャックポット装置２０は、景品取得ゲーム機１０に設けられる。
【００１４】
景品獲得ゲーム機１０は、前述したように、ハウジング１内で景品３を乗せて常時定速で一方向に回転しているターンテーブル２と、ターンテーブル２上の景品３を掬い上げるシャベル型アーム４と、アーム４から落とされた景品３を受ける固定テーブル５と、常時定速で固定テーブル５上を往復運動するスライドテーブル６と、スライドテーブル６によって固定テーブル５から押し出された景品３を受けるポケット７と、ポケット７に連通した景品取出し口８と、プレイヤがシャベル型アーム４を操作する操作盤１１（操作ボタン１１１を有する）とを含む。
【００１５】
本考案のジャックポット装置２０は、図３−９に最もよく示すように、１対のブラケット２１、２１、支持管２２、留め管２３、景品支持板２４を含む。１対のブラケット２１、２１は、固定テーブル５のポケット側付近でハウジング１に下端部が固定されかつ上端部に複数（図示例では３個）の支持穴２１１を有する。１対のブラケット２１、２１は、図３、４に最もよく示すように、固定テーブル５の両側で所定の間隔をあけかつポケット７と反対側に傾斜してハウジング１に固定される。支持管２２は、図４に示すように、１対のブラケット２１、２１の各支持穴２１１に挿入され、各ブラケット２１から外側に突出する支持管２２の端部に留め管２３が着脱自在に圧入される。留め管２３は、支持管２２がブラケット２１から抜け落ちない働きをする。景品支持板２４は、図４−６に最もよく示すように、支持管２２に緩く着脱自在に嵌合するスリーブ２４１およびスリーブ２４１に固定された板本体２４２を有する。
【００１６】
後述するように、固定テーブル５上に追加景品３ａ（図３参照）を積み上げるさいに、追加景品の種類、寸法、段積み数の大きな変更に対処するために、各ブラケット２１の上端部の支持穴２１１は少なくとも３個設けることが好ましい。
【００１７】
後述するように、固定テーブル５上に追加景品３ａを積み上げるさいに、追加景品の種類、寸法、段積み数の小さな変更に対処するために、図１１に示すように、景品支持板２４のスリーブ２４１内径ｄ１対支持管２２外径ｄ２比（ｄ１／ｄ２）が、１．１−２．０の範囲にあることが好ましい。この直径比が１．１未満では景品段積み高さの微調整効果がなく、２．０を超えると、支持穴２１１で調整できるからである。一方、景品支持板２４の板本体２４２の幅Ｌ１対ブラケット間隔Ｌ２比（Ｌ１／Ｌ２）が、１．１−２．０の範囲にあることが好ましい。この幅比が１．１未満では景品段積み幅の微調整効果がなくかつ景品荷崩れをじゃますることがあり、２．０を超えると、景品段積みが不安定になるからである。
【００１８】
ブラケット２１、支持管２２、留め管２３、景品支持板２４はすべて透明の合成樹脂材料（例えば、アクリル樹脂板または管等）からつくられることが好ましい。
【００１９】
次に、図１２を参照して、本考案に基づくジャックポット装置２０の動作について説明する。ただし、シャベル型アーム４は公知のものであるので、その動作は省略する。
【００２０】
図１２の（Ａ）図に示すように、最初にジャックポット装置２０は準備段階にある。このとき、景品支持板２４は板本体２４２を自由に下方に垂下している。
【００２１】
次いで、ゲーム機の係員が、（Ｂ）図に示すように、追加景品３ａを固定テーブル５上に積み上げ、追加景品３ａ間に板本体２４２を挟み付ける。このとき、追加景品３ａの種類、寸法、段積み数に合わせて、支持穴２１１を選択し、支持管２２の高さ位置を設定する。前述したように、支持管２２とスリーブ２４１との間およびブラケット２１と板本体２４２との間には所定の間隙があるので（図１０、１１参照）、追加景品３ａの段積み位置の微調整が可能になる。
【００２２】
プレイヤが操作盤１１の操作ボタン１１１（図１、２参照）を操作してゲームを開始する。プレイヤがシャベル型アーム４（図１、２参照）を操作して、景品３をターンテーブル２から掬い上げ、タイミングを見計らって固定テーブル５上に落とす（（Ｃ）図）。
【００２３】
前述したように、スライドテーブル６は常時定速で固定テーブル５上を往復運動するので、スライドテーブル６の前進移動のさいに景品３をポケット７方向に押し出す。固定テーブル５上に景品３が十分にある場合には、景品３が段積みの追加景品３ａに衝突し、景品支持板２４の板本体２４２の下にある追加景品３ａの荷崩れを生じる（（Ｄ）図）。このとき、板本体２４２は追加景品３ａと共に回動し、板本体２４２上にある追加景品３ａも落下する。その結果、景品３および追加景品３ａの一部がポケット７に落下する。
【００２４】
ポケット７に落下した景品３および追加景品３ａをプレイヤは景品取出し口８から獲得できる。
【産業上の利用可能性】
【００２５】
本考案のジャックポット装置は、積み上げられた景品の荷崩れによって景品を獲得できるすべてのゲーム機械に利用できる。
【図面の簡単な説明】
【００２６】
【図１】本考案が適用される景品獲得ゲーム機の概略斜視図である。
【図２】本考案が適用される景品獲得ゲーム機の概略平面図である。
【図３】本考案に基づくジャックポット装置の側面図である。
【図４】本考案に基づくジャックポット装置の正面図である。
【図５】本考案に基づくジャックポット装置を構成する景品支持板の正面図である。
【図６】図５のＶＩ−ＶＩ線から見た景品支持板の側面図である。
【図７】本考案に基づくジャックポット装置を構成するブラケットの側面図である。
【図８】図７のＶＩＩＩ−ＶＩＩＩ線から見たブラケットの正面図である。
【図９】本考案に基づくジャックポット装置を構成する支持管および留め管の平面図である。
【図１０】図４と同様な図面であって、景品支持板の水平方向移動範囲を示す。
【図１１】図１０のＸＩ−ＸＩ線から見た景品支持板の一部の横断面図であって、景品支持板の垂直方向移動範囲を示す。
【図１２】本考案に基づくジャックポット装置の動作説明図である。
【符号の説明】
【００２７】
１    ハウジング                      ２    ターンテーブル
３    景品                            ３ａ    追加景品
４    シャベル型アーム                ５    固定テーブル
６    スライドテーブル                ７    ポケット
８    景品取出し口
９    ジャックポット装置（従来技術）
１０    景品獲得ゲーム機（従来技術）
１１    操作盤                        ２０    景品獲得ゲーム機
２１    ブラケット                    ２２    支持管
２３    留め管                        ２４    景品支持板
１１１    操作ボタン                  ２１１    支持穴
２４１    スリーブ                    ２４２    板本体
【図２】
0003111471.tif 000003
【図３】
0003111471.tif 000004
【図４】
0003111471.tif 000005
【図５】
0003111471.tif 000006
【図６】
0003111471.tif 000007
【図７】
0003111471.tif 000008
【図８】
0003111471.tif 000009
【図９】
0003111471.tif 000010
【図１０】
0003111471.tif 000011
【図１１】
0003111471.tif 000012
【図１２】
0003111471.tif 000013
【図１】
0003111471.tif 000014